(57)【要約】【課題】印字体からのインの漏れや、印字面のヘタリを防止することができる直液式印判を提供する。【解決手段】本体１に対し昇降自在な印判ホルダー６を設け、この印判ホルダー６の下端には多孔質印字体３を取り付ける一方、側面または上端には弁体付きのインキカートリッジ５が設けられた直液式印判であって、弁体９は常に弁を閉じる方向に弾発されてインキカートリッジ５からインキが流出するのを防止しており、前記多孔質印字体３とインキカートリッジ５との間には、捺印時において前記弁体９を開放するように押し上げる中継芯をセット１０するとともに、この中継芯１０の下端部を前記本体１に形成した係止部１１に保持させた。また、弁体９の下端と中継芯１０の上端との間に、空間部１３を設けた。【選択図】図２
2020001357.tif 000002
【特許請求の範囲】
【請求項１】
本体に対し昇降自在な印判ホルダーを設け、
この印判ホルダーの下端には多孔質印字体を取り付ける一方、側面または上端には弁体付きのインキカートリッジが設けられた直液式印判であって、
前記弁体は、常に弁を閉じる方向に弾発されてインキカートリッジからインキが流出するのを防止しており、
前記多孔質印字体とインキカートリッジとの間には、捺印時において前記弁体を開放するように押し上げる中継芯をセットするとともに、
この中継芯の下端部を前記本体に形成した係止部に保持させたことを特徴とする直液式印判。
【請求項２】
弁体の下端と中継芯の上端との間に、空間部が設けられている請求項１に記載の直液式印判。
【発明の詳細な説明】
【技術分野】
【０００１】
本発明は、印字体からのインキの漏れや、印字面のヘタリを防止することができる直液式印判に関するものである。
【背景技術】
【０００２】
従来から、インキカートリッジを備えた直液式印判は、使用の都度インキを印字面に付着させることなく捺印を行えるので広く使用されている。この種の印判は、インキ吸蔵体に吸蔵されているインキが多孔質材料からなる印字体に自然に流下（浸透）して、印字面に補給する構造となっている。
【０００３】
一方、インキカートリッジと印字体との間に、中継芯を介在させてスムースなインキの供給を図ったものが提案されている。例えば、特許文献１には、インキカートリッジと印字体との間に逆止弁（中継芯に相当する）を配設し、この逆止弁を通じてスムースなインキの供給を行うようにしたスタンプ押捺装置のキャップ構造が記載されている。また、特許文献２には、インキ筒印判との間に中継芯を配置し、この中継芯を介して印判へインキの供給を行うようにした印鑑付筆記具が記載されている。
【０００４】
しかしながら、特許文献１や特許文献２に記載の印判等では、捺印時において、いずれも前記中継芯の下端が直接に印字体に当接した状態となるため、印字体には被捺印面および中継芯の両方から圧力がかかって押し潰されることとなる。この結果、印字体からインキ漏れを生じるという問題や、印字面にヘタリが発生して鮮明な捺印面を形成することができないという問題があった。
【先行技術文献】
【特許文献】
【０００５】
【特許文献１】実公平３−５１１６８号公報
【特許文献２】実用新案登録第２５５７１９７号公報
【発明の概要】
【発明が解決しようとする課題】
【０００６】
本発明は上記のような従来の問題点を解決して、印字体からのインキの漏れを防止することができ、また印字面にヘタリが発生するのを防止して鮮明な捺印面を形成することができる直液式印判を提供することを目的とするものである。
【課題を解決するための手段】
【０００７】
本体に対し昇降自在な印判ホルダーを設け、
この印判ホルダーの下端には多孔質印字体を取り付ける一方、側面または上端には弁体付きのインキカートリッジが設けられた直液式印判であって、
前記弁体は、常に弁を閉じる方向に弾発されてインキカートリッジからインキが流出するのを防止しており、
前記多孔質印字体とインキカートリッジとの間には、捺印時において前記弁体を開放するように押し上げる中継芯をセットするとともに、
この中継芯の下端部を前記本体に形成した係止部に保持させたことを特徴とするものであり、これを請求項１に係る発明とする。
【０００８】
また、その他の好ましい実施形態によれば、前記弁体の下端と中継芯の上端との間に、空間部が設けられているものが好ましく、これを請求項２に係る発明とする。
【発明の効果】
【０００９】
請求項１に係る発明では、本体に対し昇降自在な印判ホルダーを設け、この印判ホルダーの下端には多孔質印字体を取り付ける一方、側面または上端には弁体付きのインキカートリッジが設けられた直液式印判であって、前記弁体は、常に弁を閉じる方向に弾発されてインキカートリッジからインキが流出するのを防止しており、前記多孔質印字体とインキカートリッジとの間には、捺印時において前記弁体を開放するように押し上げる中継芯をセットするとともに、この中継芯の下端部を前記本体に形成した係止部に保持させたものとしたので、従来のように、捺印時において印字体が被捺印面および中継芯の両方から圧力がかかって押し潰される現象がなくなる。この結果、印字体からインキ漏れを生じることがなくなり、また印字面にヘタリが発生せず鮮明な捺印面を形成することができる。更に、前記弁体は、常に弁を閉じる方向に弾発されてインキカートリッジからインキが流出するのを防止し、捺印時においては弾発力に反して弁を開ける方向に移動してインキカートリッジからインキをインキ吸蔵体へ供給する構造となっている為、常時は弁体が閉じられており、捺印時のみインキの供給を行うこととなり、インキ使用量の節約を図り、またインキの漏れを防止することができる。
【００１０】
また、請求項２に係る発明では、前記弁体の下端と中継芯の上端との間に、空間部が設けられているものとしたので、不用意に捺印する方向に力が加えられても、空間部を移動する間は弁体が開くことがない。この結果、インキカートリッジから不用意にインキが漏れることがなくなり、インキの無駄使いを防止でき、また鮮明な印影を保証できることとなる。
【図面の簡単な説明】
【００１１】
【図１】捺印時における本発明の実施の形態を示す正面図である。
【図２】本発明の通常時の状態を示す中央縦断面図である。
【図３】図２の側面側からみた中央縦断面図である。
【図４】本発明の捺印時の状態を示す中央縦断面図である。
【図５】図４の側面側からみた中央縦断面図である。
【図６】インキカートリッジの中央縦断面図である。
【図７】本発明の印判を下側からみた斜視図である。
【図８】本体を下側からみた斜視図である。
【図９】本体を下側からみた斜視図である。
【発明を実施するための形態】
【００１２】
以下に、図面を参照しつつ本発明の好ましい実施の形態を示す。
図１は、本発明の直液式印判を示すもので、図において、１は本体、２は昇降自在な操作体、１ａは前記本体１に取り付けられていて操作体２の下降に連動してウィング式に開くカバー部材、３は多孔質印字体である。また、図２は通常時の状態を示す中央縦断面図、図３は図２の側面側からみた中央縦断面図であり、図４は捺印時の状態を示す中央縦断面図、図５は図４の側面側からみた中央縦断面図である。また、図６はインキカートリッジの中央縦断面図である。
【００１３】
図２〜図５に示されるように、本発明の直液式印判は、基本的には多孔質印字体３の上面側にインキ吸蔵体４を配置し、このインキ吸蔵体４の上方にインキカートリッジ５を配置した構造となっている。
前記本体１の内部には印判ホルダー６が昇降自在に装着されており、この印判ホルダー６の下端に前記多孔質印字体３が取り付けられている。また、この印判ホルダー６と本体１との間にはコイルバネのような弾性部材７が装着されていて、印判ホルダー６に対して常に上向きの力が付勢された状態となっている。この結果、印判ホルダー６は常時は引き上げられた状態にあり、多孔質印字体３は本体１内に収納され、かつ、カバー部材１ａも閉じられた状態となっている。
【００１４】
前記インキカートリッジ５は、操作体２の内部に収納されており、下面部を前記印判ホルダー６の上面と密着させることで、操作体２の下降に連動して印判ホルダー６とともに下降するように構成されている。このインキカートリッジ５は、交換方式であり、インキがなくなった場合は操作体２から外して、新しいカートリッジに簡単に取り換えることが可能となっている。
【００１５】
前記インキカートリッジ５の下部には、下方に向けて延びる円筒状のインキ供給筒８が垂設されているとともに、このインキ供給筒８内には昇降自在な棒状の弁体９が装入されている。
このインキ供給筒８は、捺印時の場合に限り弁体９が僅かに開いてインキカートリッジ５内のインキを多孔質印字体３に向けて少量ずつ供給するように構成されている。即ち、図６に示されるように、インキ供給筒８の壁面には、前記インキカートリッジ５内へ通じる孔８ａが設けられていて、内部にインキが満たされた状態に保たれている。一方、弁体９にはコイルバネのような弾性部材８ｂが装着されていて、常に下向きの力が付勢されており、下方部に設けた傾斜面９ａと、インキ供給筒８の内壁面に設けた傾斜面８ｃとが係合・密着することにより、インキ供給筒８のインキの供給を完全にストップした状態を保持している。一方、弁体９を押し上げて傾斜面９ａと傾斜面８ｃ間に隙間を形成した場合には、この隙間を通じてインキカートリッジ５内のインキをインキ吸蔵体４に向けて適量分だけ供給する構造となっている。
【００１６】
また、前記多孔質印字体３とインキカートリッジ５の間には、捺印時において前記弁体９を開放するように押し上げるための中継芯１０がセットされている。
この中継芯１０の役割は二つあり、その一つは、インキカートリッジ５から供給されたインキを下部のインキ吸蔵体４に導くためのものである。このため、例えば、表面に多数の軸方向のスリット溝を設けた合成樹脂製の棒状部材から構成されている。もう一つの役割は、捺印時において前記弁体９を開放するように押し上げる役割である。このため、中継芯１０の下端部は本体１に固定されて上下動しない構造となっている。なお、弁体９の開閉作動については、後述の印判の作動説明の欄で詳述する。
【００１７】
前記中継芯１０の下端部は、図２と図４に示されるように、前記本体１の中央に形成した係止部１１に保持され、固定された状態となっている。この係止部１１は、中継芯１０の下方部を嵌合する孔部１１ａを有しており、この孔部１１ａに中継芯１０の下方をしっかりと嵌合保持している。また、孔部１１ａの底面には、円弧状の底板部１１ｂ、１１ｂが形成してあり、中継芯１０の下端部が孔部１１ａより突出して、ピンポイント的にインキ吸蔵体４を直接押圧しない構造とされている。
【００１８】
なお、底板部１１ｂ、１１ｂの間には隙間（透孔）が形成され、インキ吸蔵体４へのインキの供給ができるように構成されている（図７〜図９を参照）。また、係止部１１の上部には筒状の壁面が立設されてインキ受け部１２を形成しており、中継芯１０を伝達するインキが飛び散っても悪影響がでないように構成されている。
【００１９】
また、前記弁体９の下端と中継芯１０の上端との間には、空間部１３が設けられている。この空間部１３の存在により、不用意に捺印する方向に力が加えられても、空間部１３を移動する間は弁体９に接しないため弁体９が開くことがなく、インキの供給は行われない。この結果、インキカートリッジから不用意にインキが漏れることがなくなり、インキの無駄使いを防止でき、また鮮明な印影を保証できることとなる。
【００２０】
次に、以上のように構成された本発明の直液式印判の作動について説明する。
図２〜図３に示されるように、通常の状態では操作体２に下向きの押圧力が作用していない。従って、印判ホルダー６は弾発部材７に付勢されて上方側へ引き上げられており、この結果、多孔質印字体３は本体１内へ収納された状態となっている。また、カバー部材１ａ、１ａも閉じられた状態となっている。
【００２１】
次いで、操作体２に下向きの押圧力を作用させ捺印処理する場合について説明する。
図４〜図５に示されるように、操作体２の下降に伴いインキカートリッジ５も下降し、このインキカートリッジ５の下面に押されて印判ホルダー６が下降する。この印判ホルダー６の下降に伴い、カバー部材１ａ、１ａがウィング式に開き、多孔質印字体３が露呈して被捺印面の上に載置される。
【００２２】
印判ホルダー６が下降して弁体９の下端部が中継芯１０の上端部に当接した後、更に、操作体２を下向きに押圧して多孔質印字体３を被捺印面に押し付けることにより捺印処理を行う。この時、弁体９の下端には中継芯１０の上端に押されて上向きの力が作用し、弾発部材８ｂの弾発力に反して弁体９が上方側へ押されることとなる。この結果、傾斜面９ａと傾斜面８ｃ間に僅かな隙間が形成され、この隙間を通じてインキカートリッジ５内のインキが中継芯１０に滴下され、更に、中継芯１０からインキ吸蔵体４に向けて供給されることとなる。このように、インキ吸蔵体４には捺印処理を行うたびにインキカートリッジ５から適量のインキが常に補給されるため、鮮明な捺印処理を行えることとなる。
【００２３】
また、捺印処理後は、操作体２への押圧をやめると弾発部材７に付勢されて印判ホルダー６が上方側へ引き上げられ、多孔質印字体３は本体１内へ収納されて通常の状態に復帰する。また、カバー部材１ａ、１ａも閉じられて多孔質印字体３を保護する。
【００２４】
前記の捺印処理において、本発明では、前記中継芯１０の下端部を前記本体１に形成した係止部１１に保持させてあるので、中継芯１０の下端部が孔質印字体３を直接押圧することがない。従って、従来のように、捺印時において印字体が被捺印面および中継芯の両方から圧力がかかって押し潰される現象がなくなり、印字体からインキ漏れを生じることや、印字面にヘタリが発生するのを防止して鮮明な捺印面を形成することができることとなる。
【００２５】
更には、弁体９の下端と中継芯１０の上端との間に、空間部１３が設けられているので、不用意に捺印する方向に力が加えられても、空間部１３を移動する間は弁体９が開くことがなく、従って、インキカートリッジから不用意にインキが漏れることがなくなり、インキの無駄使いを防止でき、また鮮明な印影を保証できることとなる。
【符号の説明】
【００２６】
１  本体
１ａ  カバー部材
２  操作体
３  多孔質印字体
４  インキ吸蔵体
５  インキカートリッジ
６  印判ホルダー
７  弾性部材
８  インキ供給筒
８ａ  孔
８ｂ  弾性部材
８ｃ  傾斜面
９  弁体
９ａ  傾斜面
１０  中継芯
１１  係止部１１
11ａ  孔部
11ｂ  底板部
１２  インキ受け部
１３  空間部
【図１】
2020001357.tif 000003
【図２】
2020001357.tif 000004
【図３】
2020001357.tif 000005
【図４】
2020001357.tif 000006
【図５】
2020001357.tif 000007
【図６】
2020001357.tif 000008
【図７】
2020001357.tif 000009
【図８】
2020001357.tif 000010
【図９】
2020001357.tif 000011